(57)【特許請求の範囲】
【請求項１】
エアフィルタの上流側の表面に沿って往復移動すると共に前記エアフィルタに対向する面に開口部を有する吸引ノズルと、前記開口部と連通する吸引装置と、前記開口部に沿って移動すると共に前記開口部と連通する吸引口を有するベルトと、前記ベルトの吸引口の近傍に配されたブラシとを備え、前記エアフィルタの一部に、前記吸引ノズルの移動方向に対し垂直方向に凹形状部を設け、前記吸引ノズルの移動と共に前記ブラシが前記エアフィルタに接触しながら移動し、前記ブラシが前記凹形状部を通過する際に、前記ブラシが前記エアフィルタに接触しない隙間が形成されることを特徴とする空気調和機のフィルタ装置。
【請求項２】
エアフィルタの清掃面に、凹形状部を複数設けたことを特徴とする請求項１に記載の空気調和機のフィルタ装置。
【請求項３】
エアフィルタの上流側の表面に沿って往復移動すると共に前記エアフィルタに対向する面に開口部を有する吸引ノズルと、前記開口部と連通する吸引装置と、前記開口部に沿って移動すると共に前記開口部と連通する吸引口を有するベルトと、前記ベルトの吸引口の近傍に配されたブラシとを備え、前記エアフィルタの一部に、前記吸引ノズルの移動方向に対し垂直方向に凹形状部及び凸形状部を設け、前記吸引ノズルの移動と共に前記ブラシが前記エアフィルタに接触しながら移動し、前記ブラシが前記凹形状部を通過する際に、前記ブラシが前記エアフィルタに接触しない隙間が形成され、前記ブラシが前記凸形状部を通過する際に、前記ブラシが前記エアフィルタに接触し、前記ブラシがさらに圧縮され、前記凹形状部と前記凸形状部とを所定間隔をあけて設けたことを特徴とする空気調和機のフィルタ装置。
【請求項４】
エアフィルタの清掃面に、凹形状部と凸形状部のそれぞれを複数設けたことを特徴とする請求項３に記載の空気調和機のフィルタ装置。
【発明の詳細な説明】
【技術分野】
【０００１】
本発明は、エアフィルタの清掃を自動的に行うようにした空気調和機のフィルタ装置に関するものである。
【背景技術】
【０００２】
従来の、この種の空気調和機のフィルタ装置について図１１を用いて説明する。図１１は、従来の空気調和機のフィルタ装置の部分断面図である。
【０００３】
図１１において、従来の空気調和機のフィルタ装置は、エアフィルタ１の上流側の表面に沿って左右方向に移動するとともに、エアフィルタ１と対向する面に開口部１１を有する吸引ノズル３と、開口部１１に沿って上下に移動すると共に、開口部１１と連通する吸引口１３を有するベルト１２と、前記吸引口１３の近傍に設けられたブラシ１５とを備え、エアフィルタ１に付着した塵埃を除去するときは、吸引装置（図示せず）を運転しながら、吸引ノズル３をエアフィルタ１の上流側の表面に沿って左右に移動させると、その間に、エアフィルタ１の表面に付着した塵埃２０が、ブラシ１５でこそぎ落とされると同時に吸引口１３から吸引されて除去されるようになっていた（例えば、特許文献１参照）。
【特許文献１】特開２００７−１０７８２７号公報
【発明の開示】
【発明が解決しようとする課題】
【０００４】
しかしながら、前記従来の空気調和機のフィルタ装置の構成では、吸引口１３の近傍に設けられたブラシ１５とエアフィルタ１との間に挟み込まれた塵埃は、吸引口１３を通して吸引装置で吸引できず、フィルタ清掃運転のために、吸引ノズル３の左右の往復移動を繰り返すごとに、エアフィルタ１とブラシ１５の間に塵埃２０が蓄積されて残るという課題を有していた。
【０００５】
本発明は、前記従来の課題を解決するもので、エアフィルタと吸引ノズルのブラシの間に塵埃が蓄積されずに、確実にフィルタ清掃運転ができる空気調和機のフィルタ装置を提供することを目的とする。
【課題を解決するための手段】
【０００６】
前記従来の課題を解決するために、本発明の空気調和機のフィルタ装置は、エアフィルタの上流側の表面に沿って往復移動すると共に前記エアフィルタに対向する面に開口部を有する吸引ノズルと、前記開口部と連通する吸引装置と、前記開口部に沿って移動すると共に前記開口部と連通する吸引口を有するベルトと、前記ベルトの吸引口の近傍に配されたブラシとを備え、前記エアフィルタの一部に、前記吸引ノズルの移動方向に対し垂直方向に凹形状部を設け、前記吸引ノズルの移動と共に前記ブラシが前記エアフィルタに接触しながら移動し、前記ブラシが前記凹形状部を通過する際に、前記ブラシが前記エアフィルタに接触しない隙間が形成されるもので、吸引ノズルが移動して、ブラシが凹形状部に達すると、エアフィルタとブラシの間に挟まれ吸引されなかった塵埃がフリーになって吸引されるので、塵埃の吸込み残しを防ぐことができる。
【０００８】
また、本発明の空気調和機のフィルタ装置は、エアフィルタの上流側の表面に沿って往復移動すると共に前記エアフィルタに対向する面に開口部を有する吸引ノズルと、前記開口部と連通する吸引装置と、前記開口部に沿って移動すると共に前記開口部と連通する吸
引口を有するベルトと、前記ベルトの吸引口の近傍に配されたブラシとを備え、前記エアフィルタの一部に、前記吸引ノズルの移動方向に対し垂直方向に凹形状部及び凸形状部を設け、前記吸引ノズルの移動と共に前記ブラシが前記エアフィルタに接触しながら移動し、前記ブラシが前記凹形状部を通過する際に、前記ブラシが前記エアフィルタに接触しない隙間が形成され、前記ブラシが前記凸形状部を通過する際に、前記ブラシが前記エアフィルタに接触し、前記ブラシがさらに圧縮され、前記凹形状部と前記凸形状部とを所定間隔をあけて設けたもので、エアフィルタとブラシの間に挟まれ吸引することができない状態の塵埃が、凹形状部でフリーになり、凸形状部で掻き出されるので、確実に吸引することができ、塵埃の吸込み残しを防ぐことができる。
【発明の効果】
【０００９】
本発明の空気調和機のフィルタ装置は、エアフィルタと吸引ノズルに設けられたブラシによってはさまれた塵埃をエアフィルタの清掃面に設けられた凹形状部において、はさみこまれることを取り除き、吸引口より塵埃が吸引され、エアフィルタ上に付着した塵埃の除去率を向上させることができる。
【発明を実施するための最良の形態】
【００１０】
第１の発明は、エアフィルタの上流側の表面に沿って往復移動すると共に前記エアフィルタに対向する面に開口部を有する吸引ノズルと、前記開口部と連通する吸引装置と、前記開口部に沿って移動すると共に前記開口部と連通する吸引口を有するベルトと、前記ベルトの吸引口の近傍に配されたブラシとを備え、前記エアフィルタの清掃面の一部に、前記吸引ノズルの移動方向に対し垂直方向に凹形状部を設けたもので、吸引ノズルが移動して、ブラシが凹形状部に達すると、エアフィルタとブラシの間に挟まれ吸引されなかった塵埃がフリーになって吸引されるので、塵埃の吸込み残しを防ぐことができる。
【００１１】
第２の発明は、特に、第１の発明のエアフィルタの清掃面に、凹形状部を複数設けたもので、エアフィルタとブラシの間に挟まれ吸引することができない状態の塵埃をより確実に吸引することができ、塵埃の吸込み残しを防ぐことができる。
【００１２】
第３の発明は、エアフィルタの上流側の表面に沿って往復移動すると共に前記エアフィルタに対向する面に開口部を有する吸引ノズルと、前記開口部と連通する吸引装置と、前記開口部に沿って移動すると共に前記開口部と連通する吸引口を有するベルトと、前記ベルトの吸引口の近傍に配されたブラシとを備え、前記エアフィルタの一部に、前記吸引ノズルの移動方向に対し垂直方向に凸形状部を設けたもので、清掃運転時にエアフィルタとブラシの間に挟まれて吸引されなかった塵埃が、エアフィルタの清掃面に設けた凸形状と接触することにより、エアフィルタとブラシ間よりかきだされ、吸引することができ、塵埃の吸込み残しを防ぐことができる。
【００１３】
第４の発明は、特に、第３の発明のエアフィルタの清掃面に、凸形状部を複数設けたもので、エアフィルタとブラシの間に挟まれ吸引されなかった塵埃をより確実に吸引することができ、塵埃の吸込み残しを防ぐことができる。
【００１４】
第５の発明は、エアフィルタの上流側の表面に沿って往復移動すると共に前記エアフィルタに対向する面に開口部を有する吸引ノズルと、前記開口部と連通する吸引装置と、前記開口部に沿って移動すると共に前記開口部と連通する吸引口を有するベルトと、前記ベルトの吸引口の近傍に配されたブラシとを備え、前記エアフィルタの清掃面に、前記吸引ノズルの移動方向に対し垂直方向に凹形状部及び凸形状部を設けたもので、エアフィルタとブラシの間に挟まれ吸引することができない状態の塵埃が、凹形状部でフリーになり、凸形状部で掻き出されるので、確実に吸引することができ、塵埃の吸込み残しを防ぐこと
ができる。
【００１５】
第６の発明は、特に、第５の発明のエアフィルタの清掃面に、凹形状部と凸形状部のそれぞれを複数設けたもので、エアフィルタとブラシの間に挟まれ吸引することができない状態の塵埃を、より確実に吸引することができ、塵埃の吸込み残しを防ぐことができる。
【００１６】
以下、本発明の実施の形態について、図面を参照しながら説明する。なお、この実施の形態によって本発明が限定されるものではない。
【００１７】
（実施の形態１）
本発明の第１の実施の形態における空気調和機のフィルタ装置について図１〜５を用いて説明する。
【００１８】
図１は、本実施の形態における空気調和機のフィルタ装置の斜視図、図２は、同空気調和機のフィルタ装置の吸引ノズルの一部分解斜視図、図３は、同吸引ノズルとエアフィルタの断面図である。
【００１９】
図１において、空気調和機に内蔵された熱交換器（図示せず）を通過する空気の塵埃を除去するエアフィルタ１は、フィルタ枠２に取り付けられ、エアフィルタ１の表面に沿って左右に移動可能な吸引ノズル３が設けられている。吸引ノズル３は、左右駆動装置８とフィルタ枠２の上下端に設置されたガイドレール４により、エアフィルタ１と狭い間隙を保って円滑に左右に移動することができるようになっている。
【００２０】
吸引ノズル３には、吸引ダクト５が連結され、さらに吸引ダクト５は、吸引装置６に連結されている。吸引ダクト５は、吸引ノズル３の移動に差し支えないように折り曲げ可能なダクトで形成される。さらに、吸引装置６には、室外へ引き回された排気ダクト７が連結されている。エアフィルタ１に付着した塵埃は、吸引ノズル３により吸引され、吸引ダクト５、吸引装置６、排気ダクト７を経由して室外へ排出される。
【００２１】
図２において、吸引ノズル３には、エアフィルタ１の全長に相当する長いスリット状の開口部１１が設けられ、この開口部１１に沿って駆動可能なベルト１２に吸引口１３を設けることで、開口部１１の一部分のみから吸引でき、かつ、ベルト１２を駆動して吸引する場所を変えることができるようにしている。
【００２２】
また、ベルト１２は、吸引ノズル本体１０に沿わせるため、吸引ノズル本体１０と一体で形成された（溶着や接着によって一体に形成される）ベルトガイド１４によってガイドされており、ベルト１２のガイドを行なうとともに吸引口１３以外の部分で吸引漏れが発生するのを抑制している。
【００２３】
さらに、ベルト１２の表面には、吸引口１３の両側にスポンジやＥＰＴ（エチレンプロピレンゴム）のような弾性材料より構成されるブラシ１５が固着されており、ベルト１２の駆動により、吸引口１３とともにブラシ１５の位置も可変できるようにしている（なお、図２では、片方のブラシ１５の図示を省略している）。
【００２４】
この構成であれば、吸引位置とブラシ１５の位置を変えるのに必要な駆動装置は、ベルト１２の駆動装置（図示せず）だけで済むので構成が簡単であり、低コストで実現することができ、かつ、吸引口１３とブラシ１５の位置関係を常に一定に維持することができる。
【００２５】
ここで、図３においてブラシ１５の高さＨ１は、エアフィルタ１のたわみ量も考慮し、
ブラシ１５とエアフィルタ１が十分に接触でき、若干圧縮された状態になるような高さに設定している。ブラシ１５はベルト１２に接着剤などを用いて固着されるが、清掃の際はエアフィルタ１との間で若干変形をしながらエアフィルタ１を擦り続けるので、左右駆動の繰り返しにより、ブラシ１５の剥がれが発生しないように強固に接着されている。
【００２６】
本実施の形態では、エアフィルタ１の清掃面の一部に、吸引ノズル３の駆動方向に対し、垂直方向に、凹形状部１６を設けている。
【００２７】
凹形状部１６の深さＨ２は、ブラシ１５が接触できない深さがあり、凹形状部１６の幅Ｗ２は、ブラシの幅Ｗ１より大きく、凹形状部１６がブラシ１５の両側面に同時に接触できないようにしている。
【００２８】
エアフィルタ１の清掃は、図４に示すように、吸引ノズル３をエアフィルタ１に沿って左右に駆動するとともに、ベルト１２を駆動して、吸引口１３の位置を上下方向で変えることで吸引口１３を、図中の矢印に示すようなスイープ動作させて、エアフィルタ１の全面を清掃することができる。
【００２９】
以上のように構成された空気調和機のフィルタ装置について、以下その動作、作用を説明する。
【００３０】
図５（ａ）は、清掃時の吸引ノズル３とエアフィルタ１の断面模式図で、エアフィルタ１を吸引清掃している最中の吸引ノズル３とエアフィルタ１の状態を断面で示したものである。２０（斜線部）は、エアフィルタ１とブラシ１５の間に挟まれ、吸引口１３に吸引されずに残った塵埃を表している。
【００３１】
図５（ｂ）は、吸引ノズル３が、エアフィルタ１に設けられた凹形状部１６を通過する際の断面摸式図であり、ブラシ１５とエアフィルタ１との間に隙間があき、ブラシ１５とエアフィルタ１に挟まれ吸引口１３に吸引されない塵埃２０が、吸引口１３より吸引可能な状態になり、吸引口１３に吸引され塵埃の吸い残しを防ぐことが可能となる。
【００３２】
図６は、図５に示した凹形状部１６を、エアフィルタ１の清掃面に複数設けた例を示したもので、ブラシ１５とエアフィルタ１との間に挟まれる塵埃２０の量が少なく、吸引口１３にてより吸引しやすく塵埃２０の吸い残しを防ぐことが可能となる。
【００３３】
（実施の形態２）
図７は、本発明の第２の実施の形態における空気調和機のフィルタ装置の吸引ノズルとエアフィルタの断面図である。
【００３４】
上記第１の実施の形態では、エアフィルタ１に凹形状部１６を設けたのに対し、本実施の形態は、エアフィルタ１の一部に凸形状部１７を設けたもので、他の構成は、上記第１の実施の形態における空気調和機のフィルタ装置と同一なので、同一部分には同一符号を付して、その説明を省略する。
【００３５】
図７において、２０（斜線部）は、エアフィルタ１とブラシ１５の間に挟まれ、吸引口１３に吸引されない塵埃を表している。エアフィルタ１に設けられた凸形状部１７を吸引ノズル３が通過する時には、ブラシ１５とエアフィルタ１の凸形状部１７が接触し、ブラシ１５とエアフィルタ１との間に挟まれ吸引口１３に吸引されない塵埃２０が掻き出され、吸引口１３より吸引可能な状態になり、吸引口１３に吸引され塵埃の吸い残しを防ぐことが可能となる。ここで凸形状１７の高さＨ３は、吸引ノズル３とエアフィルタ１との隙間Ｈ４より低く、吸引ノズル３の左右駆動時に吸引ノズル３に接触することは無い。
【００３６】
また、図８は、エアフィルタ１の清掃面に、図７における凸形状部１７を複数設けた例を示すもので、ブラシ１５とエアフィルタ１との間に挟まれる塵埃２０の量が少なく、吸引口１３にてより吸引しやすく塵埃２０の吸い残しを防ぐことが可能となる。
【００３７】
さらに、図９は、図５に示す凹形状部１６と、図７に示す凸形状部１７を、エアフィルタ１の清掃面に設けた例を示すもので、凹形状部１６でブラシ１５とエアフィルタ１との間に挟まれた塵埃２０を吸引し、さらに凸形状部１７によりブラシ１５に絡まり、エアフィルタ１との間に挟まる塵埃２０を掻き出すことにより、塵埃の吸い残しを防ぐことが可能となる。この場合、凹形状部１６と凸形状部１７の配置順番（後先）はどちらでもよい。
【００３８】
また、図１０は、図９における凹形状部１６と凸形状部１７を、エアフィルタ１の清掃面に複数設けた例を示しており、ブラシ１５とエアフィルタ１の清掃面に挟まれ取り残す塵埃２０を吸引口１３より吸引可能となり、塵埃２０の吸い残しを防ぐことが可能となる。
【産業上の利用可能性】
【００３９】
以上のように、本発明の空気調和機のフィルタ装置は、ブラシとエアフィルタに挟み込まれ吸引が困難な塵埃を吸引することができるので、空気調和機のフィルタ装置のメンテナンスを不要にすることができ、家庭用や業務用の空気調和機や空気清浄機など塵埃を捕集するエアフィルタを備えた各種装置のフィルタ自動清掃の用途に適用できる。
【図面の簡単な説明】
【００４０】
【図１】本発明の実施の形態１における空気調和機のフィルタ装置の斜視図
【図２】同空気調和機のフィルタ装置の吸引ノズルの一部分解斜視図
【図３】同吸引ノズルとエアフィルタの断面図
【図４】同吸引ノズルの動作を示す図
【図５】（ａ）同吸引ノズルとエアフィルタの断面模式図（ｂ）同吸引ノズルとエアフィルタの断面模式図
【図６】同空気調和機のフィルタ装置の他の例を示す吸引ノズルとエアフィルタの断面図
【図７】本発明の実施の形態２における空気調和機のフィルタ装置の吸引ノズルとエアフィルタの断面図
【図８】同空気調和機のフィルタ装置の他の例を示す吸引ノズルとエアフィルタの断面図
【図９】同空気調和機のフィルタ装置の他の例を示す吸引ノズルとエアフィルタの断面図
【図１０】同空気調和機のフィルタ装置の他の例を示す吸引ノズルとエアフィルタの断面図
【図１１】従来の空気調和機のフィルタ装置の部分断面図
【符号の説明】
【００４１】
１  エアフィルタ
２  エアフィルタ枠
３  吸引ノズル
４  ガイドレール
５  吸引ダクト
６  吸引装置
７  排気ダクト
８  左右駆動装置
１０  吸引ノズル本体
１１  開口部
１２  ベルト
１３  吸引口
１５  ブラシ
１６  凹形状部
１７  凸形状部
【図１】
0005125469.tif 000002
【図２】
0005125469.tif 000003
【図３】
0005125469.tif 000004
【図４】
0005125469.tif 000005
【図５】
0005125469.tif 000006
【図６】
0005125469.tif 000007
【図７】
0005125469.tif 000008
【図８】
0005125469.tif 000009
【図９】
0005125469.tif 000010
【図１０】
0005125469.tif 000011
【図１１】
0005125469.tif 000012